(57)【要約】【課題】周囲照度に応じてバックライト輝度を制御する際に、照明源の配置によらず、バックライト輝度を最適に制御する。【解決手段】表示装置１０は、液晶パネル６を照明源するバックライト光源４と、周囲照度を検出する照度検出部７と、照度検出部７で検出された周囲照度に応じてバックライト光源４の輝度値を算出する輝度値算出部２４と、輝度値算出部２４で算出された輝度値に基づいてバックライト光源４の輝度を制御するバックライト制御部３とを備える。表示装置１０は、表示装置１０と照明源との位置関係をユーザに設定させるための設定画面を液晶パネル６に表示する位置関係設定部２５を備え、輝度値算出部２４は、位置関係設定部２５により設定された表示装置１０と照明源との位置関係に応じて、バックライト光源４の輝度値の算出を補正する。【選択図】図１
2013218128.tif 000002
【特許請求の範囲】
【請求項１】
表示パネルを照明するバックライト光源と、周囲照度を検出する照度検出部と、該照度検出部で検出された周囲照度に応じて前記バックライト光源の輝度値を算出する輝度値算出部と、該輝度値算出部で算出された輝度値に基づいて前記バックライト光源の輝度を制御するバックライト制御部とを備えた表示装置であって、
該表示装置と照明源との位置関係をユーザに設定させるための設定画面を前記表示パネルに表示する位置関係設定部を備え、
前記輝度値算出部は、前記位置関係設定部により設定された前記表示装置と前記照明源との位置関係に応じて、前記バックライト光源の輝度値の算出を補正することを特徴とする表示装置。
【請求項２】
請求項１に記載の表示装置において、該表示装置の周囲照度と前記バックライト光源の輝度値とを対応付けた輝度値テーブルと、前記表示装置と前記照明源との位置関係に補正係数を対応付けた補正係数テーブルとを備え、前記輝度値算出部は、前記位置関係設定部により設定された前記表示装置と前記照明源との位置関係に応じた補正係数を前記補正係数テーブルにより決定し、該決定した補正係数を、前記照度検出部で検出された周囲照度に乗じ、前記補正係数を乗じた周囲照度により前記輝度値テーブルに基づいて前記バックライト光源の輝度値を決定することを特徴とする表示装置。
【請求項３】
請求項２に記載の表示装置において、前記表示装置と前記照明源との位置関係は、前記照度検出部のセンサ受光面の法線方向と、前記照明源から前記照度検出部に向かう光の方向とのなす角度で示されることを特徴とする表示装置。
【請求項４】
請求項３に記載の表示装置において、前記補正係数テーブルは、前記角度が大きいほど、前記補正係数が大きくなるように、前記角度と前記補正係数とが対応付けられていることを特徴とする表示装置。
【発明の詳細な説明】
【技術分野】
【０００１】
本発明は、表示装置に関し、より詳細には、周囲照度に応じてバックライト光源の輝度を制御する機能を備えた表示装置に関する。
【背景技術】
【０００２】
従来、液晶テレビなどの表示装置において、表示装置の周囲照度を検出し、検出した周囲照度に応じてバックライト光源の輝度を制御する技術が知られている。これにより、周囲が暗い（周囲照度が小さい）ときはバックライト輝度を抑えて、電力消費を低減し、また、周囲が明るくなる（周囲照度が大きくなる）に従って、バックライト輝度を上げて視認性を良くすることができる。
【０００３】
例えば、特許文献１には、周囲照度に応じて、ユーザにとって最適になるように表示輝度を制御する画像表示装置が記載されている。この画像表示装置は、計算された表示輝度に従って動作するディスプレイ部と、周囲照度を検出する照度検出部と、照度検出部にて検出された周囲照度と所定のルールとに基づいてディスプレイ部の表示輝度を計算する表示輝度計算部と、所定のルールを保持するルール保持部と、ルール保持部に保持されているルールを変更するルール変更部とを備える。所定のルールとは例えば周囲照度に応じて定められる表示輝度の最大値と最小値とを定めるものである。
【０００４】
図６は、周囲照度に応じてバックライト輝度を制御する機能を備えた従来の表示装置について説明するための図で、図中、１００は表示装置を示す。図６（Ａ）は表示装置１００を正面から見たときの状態を示す。表示装置１００は、例えば、液晶テレビであり、リモコンからの操作信号を受光するためのリモコン信号受光部１０１と、表示装置１００の周囲照度を検出する照度検出部１０２とを備える。この照度検出部１０２近傍の断面図を図６（Ｂ）に示す。
【０００５】
図６（Ｂ）に示すように、照度検出部１０２は、表示装置１００の下縁（下枠）部であって、液晶パネル１０３の下側に設けられている。より具体的には、表示装置１００の下縁部の所定位置に孔が設けられており、この孔の奥側に照度センサ１０２ｂが受光回路基板１０２ｃと一体的に設けられている。そして、照度センサ１０２ｂの前方にはレンズ拡散板１０２ａが設けられ、照度検出部１０２の孔に入射した外部光は、レンズ拡散板１０２ａを介して照度センサ１０２ｂの受光面にて受光される。
【０００６】
図６（Ｃ）は照度センサ１０２ｂで検出した照度と液晶パネル１０３の画面輝度との関係を示す図で、図中、横軸は照度センサ１０２ｂで検出した検出照度（単位：ｌｘ，ルクス）、縦軸は液晶パネル１０３の画面輝度（単位：ｃｄ／ｍ２）を示す。このように、周囲照度が小さいときは、画面輝度、すなわち、バックライト輝度を抑えて、電力消費を低減させ、周囲照度が大きくなるに従って、画面輝度を大きくすることで視認性を向上させている。
【先行技術文献】
【特許文献】
【０００７】
【特許文献１】特開２００７−１１３０４号公報
【発明の概要】
【発明が解決しようとする課題】
【０００８】
しかしながら、一般的な液晶テレビの場合、図６（Ｂ）に示すように、照度センサを筐体内部に収容しているため、液晶テレビに対する照明源の方向が異なると、照明源からの光のセンサ方向成分が変化してしまう。このため、照明源が同じ明るさで発光していても、照度センサで検出される照度は異なる値となり、これに追従するバックライト輝度にも影響を及ぼすという問題がある。これについて図７に基づいて説明する。
【０００９】
図７（Ａ）は光源を間接照明とした場合の光のセンサ方向成分を示し、図７（Ｂ）は光源を天井照明とした場合の光のセンサ方向成分を示す。図７（Ａ）の例では、表示装置１００の正面に間接照明１０４が設置されている。この場合、間接照明１０４の光源から照度検出部１０２に向かう光のセンサ方向成分１０４ａが、照度検出部１０２の孔に入射される。また、図７（Ｂ）の例では、表示装置１００の上方に天井照明１０５が設置されている。この場合、天井照明１０５の光源から照度検出部１０２に向かう光のセンサ方向成分１０５ａが、照度検出部１０２の孔に入射される。
【００１０】
ここで、表示装置１００のユーザ（視聴者）が感じる明るさは図７（Ａ）の場合と図７（Ｂ）の場合とで略同じであるが、図７（Ａ）に示す光のセンサ方向成分１０４ａの光量よりも図７（Ｂ）に示す光のセンサ方向成分１０５ａの光量のほうが小さいことが分かる。つまり、ユーザが略同じ明るさを感じている場合であっても、照度センサ１０２ｂの受光面で受光される光量が異なるため、図７（Ａ）の場合と図７（Ｂ）の場合とでは検出される照度が異なってしまう。
【００１１】
図８は、照明源の配置によって画面輝度が変化する様子を説明するための図である。図８（Ａ）は照度センサ１０２ｂの正面に光源がある場合の表示装置１００の表面照度と画面輝度との関係を示す。図８（Ｂ）は表示装置１００の正面に光源がある場合の表示装置１００の表面照度と画面輝度との関係を示す。図８（Ｃ）は表示装置１００の上方に光源がある場合の表示装置１００の表面照度と画面輝度との関係を示す。図中、縦軸は表示装置１００の画面輝度（単位：ｃｄ／ｍ２）、横軸は表示装置１００の表面照度（単位：ｌｘ）を示す。なお、表示装置１００の表面照度とは、筐体内の照度センサ１０２ｂにより検出される照度ではなく、表示装置１００の外部で検出される照度である。また、表示装置１００の画面輝度とは、照度センサ１０２ｂにより検出される照度に応じた画面輝度（バックライト光源の発光輝度）である。
【００１２】
図８（Ａ）において、照度センサ１０２ｂの正面に光源がある場合、照度検出部１０２の孔には、光源からの光１００ａがそのまま入射される。このときの表面照度と画面輝度との関係は特性関数１０６のようになる。つまり、光１００ａの光量は、ロスなく照度センサ１０２ｂのセンサ受光面で受光されるため、照度センサ１０２ｂで検出される照度と、表示装置１００の表面照度とは一致する。
【００１３】
また、図８（Ｂ）において、表示装置１００の正面に光源がある場合、すなわち、前述した図７（Ａ）の間接照明１０４を配置した場合、照度検出部１０２の孔には、角度θ１により光源からの光１００ａのセンサ方向成分１０４ａが入射される。このときの表面照度と画面輝度との関係は特性関数１０７のようになる。つまり、光のセンサ方向成分１０４ａの光量は、光１００ａの光量よりも小さくなるため、同じ表面照度ａに対して、図８（Ａ）の場合と比べ、照度センサ１０２ｂで検出される光量が小さくなる。このため、図８（Ａ）の特性関数１０６と比べ、図８（Ｂ）の特性関数１０７は表示装置１００の表面照度に対して画面輝度が小さく変化する。
【００１４】
また、同様に、図８（Ｃ）において、表示装置１００の上方に光源がある場合、すなわち、前述した図７（Ｂ）の天井照明１０５を配置した場合、照度検出部１０２の孔には、角度θ２（＞θ１）により光源からの光１００ａのセンサ方向成分１０５ａが入射される。このときの表面照度と画面輝度との関係は特性関数１０８のようになる。つまり、光のセンサ方向成分１０５ａの光量は、光１００ａの光量，光のセンサ方向成分１０４ａの光量よりも小さくなるため、同じ表面照度ａに対して、図８（Ａ），（Ｂ）の場合と比べ、照度センサ１０２ｂで検出される光量が小さくなる。このため、図８（Ａ）の特性関数１０６，図８（Ｂ）の特性関数１０７と比べ、図８（Ｃ）の特性関数１０８は表示装置１００の表面照度に対して画面輝度が小さく変化する。
【００１５】
上記より、周囲照度検出部１０２のセンサ受光面の法線方向（光のセンサ方向成分１０４ａ，１０５ａの方向に相当）と、照明源から照度検出部１０２に向かう光の方向（光１００ａの方向に相当）とのなす角度が大きくなるほど、センサ受光面で検出する照度が小さくなる。すなわち、ユーザが略同じ明るさを感じている場合でも、照明源の配置によって、照度センサが異なる照度を検出してしまうため、これに追従するバックライト輝度が一定せず、特に、天井照明などの場合に画面輝度が低下してしまい、ユーザに違和感を与えることになる。なお、特許文献１に記載の発明は、表示装置と照明源との位置関係に着目したものではなく、このような課題を解決することはできない。
【００１６】
本発明は、上述のような実情に鑑みてなされたもので、周囲照度に応じてバックライト輝度を制御する際に、照明源の配置によらず、バックライト輝度を最適に制御することができる表示装置を提供することを目的とする。
【課題を解決するための手段】
【００１７】
上記課題を解決するために、本発明の第１の技術手段は、表示パネルを照明するバックライト光源と、周囲照度を検出する照度検出部と、該照度検出部で検出された周囲照度に応じて前記バックライト光源の輝度値を算出する輝度値算出部と、該輝度値算出部で算出された輝度値に基づいて前記バックライト光源の輝度を制御するバックライト制御部とを備えた表示装置であって、該表示装置と照明源との位置関係をユーザに設定させるための設定画面を前記表示パネルに表示する位置関係設定部を備え、前記輝度値算出部は、前記位置関係設定部により設定された前記表示装置と前記照明源との位置関係に応じて、前記バックライト光源の輝度値の算出を補正することを特徴としたものである。
【００１８】
第２の技術手段は、第１の技術手段において、該表示装置の周囲照度と前記バックライト光源の輝度値とを対応付けた輝度値テーブルと、前記表示装置と前記照明源との位置関係に補正係数を対応付けた補正係数テーブルとを備え、前記輝度値算出部は、前記位置関係設定部により設定された前記表示装置と前記照明源との位置関係に応じた補正係数を前記補正係数テーブルにより決定し、該決定した補正係数を、前記照度検出部で検出された周囲照度に乗じ、前記補正係数を乗じた周囲照度により前記輝度値テーブルに基づいて前記バックライト光源の輝度値を決定することを特徴としたものである。
【００１９】
第３の技術手段は、第２の技術手段において、前記表示装置と前記照明源との位置関係は、前記照度検出部のセンサ受光面の法線方向と、前記照明源から前記照度検出部に向かう光の方向とのなす角度で示されることを特徴としたものである。
【００２０】
第４の技術手段は、第３の技術手段において、前記補正係数テーブルは、前記角度が大きいほど、前記補正係数が大きくなるように、前記角度と前記補正係数とが対応付けられていることを特徴としたものである。
【発明の効果】
【００２１】
本発明によれば、表示装置と照明源との位置関係に応じて、バックライト光源の輝度値の算出を補正することができるため、周囲照度に応じたバックライト輝度を、照明源の配置によらず、最適に制御することができる。
【図面の簡単な説明】
【００２２】
【図１】本発明の一実施形態に係る表示装置の構成例を示すブロック図である。
【図２】表示装置の画面上に表示されるＴＶ設置環境設定画面の一例を示す図である。
【図３】本発明の表示装置による周囲照度に応じたバックライト輝度制御方法の一例を説明するための図である。
【図４】照度検出部を異なる方向に複数備えた場合の表示装置の構成例を示す図である。
【図５】複数の照明源がある場合に表示装置に表示されるＴＶ設置環境設定画面の一例を示す図である。
【図６】周囲照度に応じてバックライト輝度を制御する機能を備えた従来の表示装置について説明するための図である。
【図７】従来技術の問題点を説明するための図である。
【図８】照明源の配置によって画面輝度が変化する様子を説明するための図である。
【発明を実施するための形態】
【００２３】
以下、添付図面を参照しながら、本発明の表示装置に係る好適な実施の形態について説明する。
【００２４】
図１は、本発明の一実施形態に係る表示装置の構成例を示すブロック図で、図中、１０は表示装置を示す。表示装置１０は、画像処理部１、主制御部２、バックライト制御部３、バックライト光源４、液晶制御部５、液晶パネル６、照度検出部７、およびリモコン信号受光部８を備える。表示装置１０は、入力映像信号に画像処理を行って映像表示する構成を有するもので、例えば、テレビジョン装置（ＴＶ）等に適用することができる。画像処理部１は、放送信号から分離した映像信号や、外部機器からの映像信号を入力し、従来と同様の映像信号処理を行う。例えば、ＩＰ変換、ノイズリダクション、スケーリング処理、γ調整、ホワイトバランス調整、などを適宜実行する。また、ユーザ設定値に基づいてコントラストや色味等を調整して出力する。
【００２５】
主制御部２は、ＣＰＵやメモリ（ＲＯＭ，ＲＡＭ）などで構成され、表示装置１０の動作を制御する。また、主制御部２は、ＡＤ（アナログデジタル）変換部２１、補正係数テーブル２２、点灯率ＬＵＴ（ルックアップテーブル）２３、輝度値算出部２４、および位置関係設定部２５を備える。バックライト制御部３は、バックライト光源４の発光輝度を制御するための制御信号を出力する。バックライト光源４は、例えば、ＬＥＤ(Light Emitting Diode)などで構成され、表示パネルの一例である液晶パネル６を照明する。バックライト光源４のＬＥＤの輝度は、ＰＷＭ(Pulse Width Modulation)制御、または電流制御、またはこれらの組み合わせによって制御することができる。いずれの場合にも所望の輝度でＬＥＤを発光させるように制御が行われる。液晶制御部５は、液晶パネル６を構成する各画素の階調制御値に基づき各画素を駆動させるための駆動信号を出力する。
【００２６】
照度検出部７は、表示装置１０の周囲照度を検出する例えばフォトセンサなどで構成され、前述の図６に示した照度検出部１０２と同様の構造で表示装置１０に設けられている。すなわち、表示装置１０の下縁部の所定位置に孔が設けられており、この孔の奥側に照度センサが受光回路基板と一体的に設けられている。そして、照度センサの前方にはレンズ拡散板が設けられ、照度検出部７の孔に入射した外部光は、レンズ拡散板を介して照度センサの受光面にて受光される。また、リモコン信号受光部８は、リモコンＲからのリモコン信号（操作信号）を受信し、この受信したリモコン信号を主制御部２に出力する。
【００２７】
本発明の主たる目的は、周囲照度に応じてバックライト輝度を制御する際に、照明源の配置によらず、バックライト輝度を最適に制御することにある。このための構成として、表示装置１０は、液晶パネル６を照明するバックライト光源４と、周囲照度を検出する照度検出部７と、照度検出部７で検出された周囲照度に応じてバックライト光源４の輝度値を算出する輝度値算出部２４と、輝度値算出部２４で算出された輝度値に基づいてバックライト光源４の輝度を制御するバックライト制御部３とを備える。そして、表示装置１０は、表示装置１０と照明源との位置関係をユーザに設定させるための設定画面を液晶パネル６に表示する位置関係設定部２５を備え、輝度値算出部２４は、位置関係設定部２５により設定された表示装置１０と照明源との位置関係に応じて、照度検出部７で検出された周囲照度を補正する。
【００２８】
図２は、表示装置１０の画面上に表示されるＴＶ設置環境設定画面の一例を示す図である。なお、本例のＴＶ（テレビ）は表示装置１０に相当する。図１で説明した照度検出部７およびリモコン信号受光部８は、表示装置１０の下縁（下枠）部の所定位置に設けられている。このＴＶ設置環境設定画面は、ＴＶと照明源との位置関係をユーザが入力するためのものであって、例えば、ユーザが表示装置１０を購入した後に行う初期設定の際に表示される。具体的には、ユーザがリモコンＲの所定のボタンを押下すると、これに応じてリモコン信号が送信される。表示装置１０はこのリモコン信号をリモコン信号受光部８で受信し、受信したリモコン信号が主制御部２に送られる。主制御部２の位置関係設定部２５は、リモコン信号に応じて、図２（Ａ）あるいは図２（Ｂ）に示すようなＴＶ設置環境設定画面を液晶パネル６に表示させる。
【００２９】
図２（Ａ）に示すＴＶ設置環境設定画面１１では、（１）ＴＶからの水平距離、（２）照明の高さ、（３）ＴＶ台高さ、をそれぞれユーザに入力させる。なお、１つの部屋に複数の照明源がある場合には、最も明るい照明源を基準とすることが望ましい。そして、位置関係設定部２５は、ＴＶ設置環境設定画面１１からユーザによって入力されたデータに基づいて、表示装置１０と照明源との位置関係を設定する。この表示装置１０と照明源との位置関係としては、例えば、照度検出部７のセンサ受光面の法線方向と、照明源から照度検出部７に向かう光の方向とのなす角度θで示すことができる。つまり、前述の図８（Ｂ）に示した角度θ１あるいは図８（Ｃ）に示した角度θ２を設定する。
【００３０】
図２（Ｂ）に示すＴＶ設置環境設定画面１２では、ユーザの入力処理をより簡単にするために、表示装置１０と照明源との位置関係が４つのパターンで示されている。本例では、（１）天井照明，部屋の広さ１０畳未満、（２）天井照明，部屋の広さ１０畳以上、（３）間接照明，部屋の広さ１０畳未満、（４）間接照明，部屋の広さ１０畳以上、の４つのパターンが表示され、ユーザがいずれかのパターンを選択することで、照度検出部７のセンサ受光面の法線方向と、照明源から照度検出部７に向かう光の方向とのなす角度θの範囲を設定する。例えば、パターン（１）には、７１°以上（〜９０°以下）の角度θの範囲が対応付けられている。図２（Ｂ）の例では、ユーザは自身のＴＶ設置環境と近いパターンを選択するだけでよいため、データ入力に伴う負担を軽減することができる。
【００３１】
図３は、本発明の表示装置による周囲照度に応じたバックライト輝度制御方法の一例を説明するための図である。まず、比較のために従来の周囲照度に応じたバックライト輝度制御方法について図３（Ａ）に基づき説明する。本例では表示装置１０の上方に照明源（天井照明）が設置されているものとする。照度検出部７で検出した周囲照度をＡＤ変換部２１でデジタル値に変換する。そして、輝度値算出部２４は、ＡＤ変換部２１で変換されたデジタル値に基づき、点灯率ＬＵＴ２３を参照し、バックライト光源４の点灯率を決定する。
【００３２】
この点灯率ＬＵＴ２３は、表示装置１０の周囲照度とバックライト光源４の輝度値とを対応付けた輝度値テーブルに相当し、バックライト光源４の輝度値の一例として点灯率で示したものである。なお、バックライト光源４の輝度値としては、点灯率以外でもよく、例えば、デューティを用いるようにしてもよい。輝度値算出部２４は、点灯率ＬＵＴ２３により決定した点灯率をバックライト制御部３に出力し、バックライト制御部３は、輝度値算出部２４からの点灯率に従って、バックライト光源４の点灯率を制御する。このときの表示装置１０の表面照度（単位：ｌｘ）と画面輝度（単位：ｃｄ／ｍ２）との関係は特性関数４１ａのようになる。なお、表示装置１０の表面照度とは、照度検出部７により検出される照度ではなく、表示装置１０の外部で検出される照度である。
【００３３】
しかしながら、前述したように、照度検出部７のセンサ受光面の正面に照明源が設置されている場合には、表示装置１０の表面照度と画面輝度との関係は特性関数４１ｂ（点線）のようになる。つまり、ユーザが略同じ明るさを感じている（表示装置１０の表面照度が同じ）場合であっても、照明源の配置によって、照度検出部７のセンサ受光面で受光される光量が異なるため、照度検出部７で検出される照度が異なり、この検出照度に追従する画面輝度が異なってしまう。従って、本発明では、特性関数４１ｂを目標として、照度検出部７で検出された周囲照度を補正する。具体的には、図３（Ｂ）に示すように、表示装置１０と照明源との位置関係に補正係数を対応付けた補正係数テーブル２２を備える。本例の補正係数テーブル２２は、照度検出部７のセンサ受光面の法線方向と照明源から照度検出部７に向かう光の方向とのなす角度θに対して補正係数が対応付けられている。
【００３４】
図３（Ｂ）において、照度検出部７で検出した周囲照度はＡＤ変換部２１でデジタル値に変換される。輝度値算出部２４は、位置関係設定部２５により設定された表示装置１０と照明源との位置関係（上記の角度θ）に応じた補正係数を補正係数テーブル２２により決定し、決定した補正係数を、照度検出部７で検出された周囲照度（デジタル値）に乗じる。そしてさらに、輝度値算出部２４は、補正係数を乗じたデジタル値により点灯率ＬＵＴ２３に基づいてバックライト光源４の点灯率を決定する。
【００３５】
例えば、位置関係設定部２５で設定された角度θが７５°であった場合には、補正係数テーブル２２から補正係数が“４”と決定され、この補正係数“４”が、照度検出部７で検出された周囲照度（デジタル値）に乗算される。そして、補正係数“４”が乗算されたデジタル値に基づき、点灯率ＬＵＴ２３を参照し、バックライト光源４の点灯率を決定する。なお、本例の補正係数テーブル２２は、角度θが大きいほど、補正係数が大きくなるように、角度θと補正係数とが対応付けられている。
【００３６】
そして、輝度値算出部２４は、点灯率ＬＵＴ２３により決定した点灯率をバックライト制御部３に出力し、バックライト制御部３は、輝度値算出部２４からの点灯率に従って、バックライト光源４の点灯率を制御する。このときの表示装置１０の表面照度（単位：ｌｘ）と画面輝度（単位：ｃｄ／ｍ２）との関係は特性関数４１ｂのようになる。
【００３７】
このようにして、表示装置１０と照明源との位置関係に応じて、バックライト光源４の輝度値の算出を補正する、より具体的には、照度検出部７のセンサ受光面で検出された周囲照度を補正することにより、周囲照度に応じたバックライト輝度を、照明源の配置によらず、最適に制御することができる。
【００３８】
ここで、表示装置１０は、照度検出部を異なる方向に複数備えるようにしてもよい。例えば、図４に示すように、表示装置１０の下縁部の所定位置に前方に向けて設けられた照度検出部７に加え、さらに、上面部の所定位置に上方に向けて照度検出部７′が設けられている。輝度値算出部２４は、複数の照度検出部で検出された周囲照度が大きいほうの照度検出部の検出結果を、補正係数テーブル２２により補正し、バックライト光源４の輝度値を算出する。例えば、寝室等のように、１つの部屋に天井照明１３と間接照明１４との２つ以上の照明源が配置され、どちらの照明源も同程度の頻度で点灯させるような場合を想定する。このような場合に、天井照明１３に対しては照度検出部７′、間接照明１４に対しては照度検出部７をそれぞれ対応させる。
【００３９】
上記において、天井照明１３が単独で点灯している場合、照度検出部７′で検出される照度のほうが照度検出部７で検出される照度よりも大きくなり、逆に、間接照明１４が単独で点灯している場合、照度検出部７で検出される照度のほうが照度検出部７′で検出される照度よりも大きくなる。従って、照度検出部７および照度検出部７′それぞれにおいて検出された照度を比較し、大きいほうの照度を検出した照度検出部の検出結果を、補正係数テーブル２２により補正する。これについて、下記の図５に基づき具体的に説明する。
【００４０】
図５は、複数の照明源がある場合に表示装置１０に表示されるＴＶ設置環境設定画面の一例を示す図である。本例では、図４に示したように、一つの部屋に天井照明１３と間接照明１４が設置されているものとして説明する。
【００４１】
ユーザはＴＶを設置する部屋の照明環境に基づき、図５（Ａ）の照明環境選択画面１５から自身の照明環境を選択する。図５（Ａ）の照明環境選択画面１５からは、（１）照明が１つ、（２）天井照明が２つ、（３）間接照明が２つ、（４）天井照明，間接照明が各々１つ、のいずれかを選択することができる。ここでは、（４）の天井照明，間接照明が各々１つ、が選択された場合について説明する。この場合、図５（Ｂ）に示すＴＶ設置環境設定画面１６が表示される。このＴＶ設置環境設定画面１６は、天井照明とＴＶとの位置関係を入力するためのものであり、ユーザは、（１）天井照明が遠く且つ部屋の広さが１０畳未満、（２）天井照明が遠く且つ部屋の広さが１０畳以上、（３）天井照明が近く且つ部屋の広さが１０畳未満、（４）天井照明が近く且つ部屋の広さが１０畳以上、のいずれかを選択することができる。
【００４２】
次に、図５（Ｃ）に示すＴＶ設置環境設定画面１７が表示される。このＴＶ設置環境設定画面１７は、間接照明とＴＶとの位置関係を入力するためのものであり、ユーザは、（１）間接照明が遠く且つ部屋の広さが１０畳未満、（２）間接照明が遠く且つ部屋の広さが１０畳以上、（３）間接照明が近く且つ部屋の広さが１０畳未満、（４）間接照明が近く且つ部屋の広さが１０畳以上、のいずれかを選択することができる。
【００４３】
このようにして、天井照明１３、間接照明１４それぞれについて、ＴＶとの位置関係が設定される。ここで、上述したように、天井照明１３については照度検出部７′との位置関係、間接照明１４については照度検出部７との位置関係が対応付けられている。すなわち、天井照明１３に対しては、照度検出部７′のセンサ受光面の法線方向と照明源から照度検出部７′に向かう光の方向とのなす角度θ´が設定され、間接照明１４に対しては、照度検出部７のセンサ受光面の法線方向と照明源から照度検出部７に向かう光の方向とのなす角度θが設定される。
【００４４】
次に、ユーザが天井照明１３を点灯させて表示装置１０により番組を視聴する場合、表示装置１０からすると、天井照明１３と間接照明１４のどちらが点灯しているか判断できないため、照度検出部７および照度検出部７′で検出されるそれぞれの検出照度を比較する。天井照明１３が点灯している場合、照度検出部７′の検出照度のほうが大きいため、角度θ´が採用され、角度θ´に応じた補正係数（例えば、“２”）を用いて、照度検出部７′による検出照度が補正される。また、ユーザが間接照明１４を点灯させて表示装置１０により番組を視聴する場合、照度検出部７で検出される照度のほうが大きいため、角度θが採用され、角度θに応じた補正係数（例えば、“１．１”）を用いて、照度検出部７による検出照度が補正される。
【００４５】
輝度値算出部２４は、上記のようにして補正された検出照度に応じて、点灯率ＬＵＴ２３を参照し、バックライト光源４の点灯率を決定する。そして、輝度値算出部２４は、点灯率ＬＵＴ２３により決定した点灯率をバックライト制御部３に出力し、バックライト制御部３は、輝度値算出部２４からの点灯率に従って、バックライト光源４の点灯率を制御する。
【符号の説明】
【００４６】
１…画像処理部、２…主制御部、３…バックライト制御部、４…バックライト光源、５…液晶制御部、６…液晶パネル、７…照度検出部、８…リモコン信号受光部、１０…表示装置、１１，１２，１６，１７…ＴＶ設置環境設定画面、１３…天井照明、１４…間接照明、１５…照明環境選択画面、２１…ＡＤ変換部、２２…補正係数テーブル、２３…点灯率ＬＵＴ、２４…輝度値算出部、２５…位置関係設定部。
【図１】
2013218128.tif 000003
【図２】
2013218128.tif 000004
【図３】
2013218128.tif 000005
【図４】
2013218128.tif 000006
【図５】
2013218128.tif 000007
【図６】
2013218128.tif 000008
【図７】
2013218128.tif 000009
【図８】
2013218128.tif 000010